(57)【要約】【課題】作業性を良好にして、装飾布の糊しろのスペースを縮小することにより、型材に装飾布を覆った部品を台紙に貼り付けた際に、浮いたり、座りが悪かったり等の問題が生じない押絵用キットを提供することを目的とする。特に、一般の人であっても、小さな部品を立体的に貼り付ける例えば人間等の押絵を容易に作ることができて、嗜好性が増すキットを提供する。【解決手段】基材（１）と、当該基材表面に貼り付けられる絵模様を象った型材（２）及び当該型材表面を装飾する装飾シート（３）とを有する押絵用キットであって、前記型材の表層部には、前記装飾シートを貼り付けられる粘着層（２３）が形成されていることを特徴とする押絵用キットとした。【選択図】  図２
2006181814.tif 000002
【特許請求の範囲】
【請求項１】
基材と、当該基材表面に貼り付けられる絵模様を象った型材及び当該型材表面を装飾する装飾シートとを有する押絵用キットであって、前記型材の表層部には、前記装飾シートが固定される粘着層が形成されていることを特徴とする押絵用キット。
【請求項２】
前記装飾シートにより前記型材表面が装飾された複数の部品同士は、前記基材表面上に立体的な絵模様を構成するために立体的に貼り合わされるようになっていることを特徴とする請求項１に記載の押絵用キット。
【請求項３】
面積が１ｃｍ2以下の前記型材を含むことを特徴とする請求項１又は２に記載の押絵用キット。
【発明の詳細な説明】
【技術分野】
【０００１】
本発明は、一般の人が押絵を製作するために必要な基材や部品等の全てを取り揃えた押絵用キットに関するものである。
【背景技術】
【０００２】
従来から、趣味の一環として、絵模様を象った型材表面に装飾布を覆った部品を、台紙の上に貼り付けた押絵を製作するための押絵用キットが販売されている。この装飾布は、例えば特許文献１に示されるように装飾布の糊しろとなる外周部分に、切り込みが入れられて、接着剤が付けられることにより、型紙裏面に貼り付けられて、絵模様を構成する部品となる。このように切り込みを入れることにより、型材の形状を損なうことなく装飾布を貼り付けることができるとされている。
【０００３】
しかしながら、実際に型材表面に装飾布を覆い、この型材表面及びその面に載置されている装飾布を固定し、型材裏面にて装飾布の糊しろを接着する際に、一部の装飾布が引っ張られて移動し易い等作業性が悪いという問題があった。このため、装飾布の糊しろを大きくして、作業し易い用にする必要があった。
【０００４】
このように、装飾布の糊しろを大きくとった場合には、折り曲げられた装飾布が盛り上がることにより、さらには型材に装飾布を覆った部品を台紙に貼り付ける際に、部品と台紙との接着面積が小さくなることにより、台紙に対して部品が浮いたり、座りが悪かったり等の問題が生じる。
特に、立体的に部品同士を貼り合わせる場合には、上述の台紙と部品との関係だけでなく、部品同士の浮きや、座りの悪化が問題となる。また、小さな部品を用いたりすると、作業性が悪化することから、絵模様を正確に再現することができない。このため、小さな部品である例えば目や髪、鼻等が立体的に貼り付けられた人間を、絵模様の一部に有する押絵の場合には、予め専門家が製作した人間をキットに入れて販売しており、嗜好性の範囲を狭めるものであった。
【０００５】
【特許文献１】特開２００３−８０８９９号公報
【発明の開示】
【発明が解決しようとする課題】
【０００６】
そこで本発明は、作業性を良好にして、装飾布の糊しろのスペースを縮小することにより、型材に装飾布を覆った部品を台紙に貼り付けた際に、浮いたり、座りが悪かったり等の問題が生じない押絵用キットを提供することを目的とする。特に、一般の人であっても、小さな部品を立体的に貼り付ける例えば人間等の押絵を容易に作ることができて、嗜好性が増すキットを提供することを目的とする。
【課題を解決するための手段】
【０００７】
本発明者等は、装飾シートを用いて型材表面を装飾して部品を作成する際に、この型材表面に装飾シートを配置して、型材裏面にて装飾シートの糊しろを接着する場合に、一部の装飾シートが引っ張られて移動し易い等の作業性が悪いという問題を、予め型材表層部に粘着層を設けておくことにより解決できることを見出し、以下の請求項１ないし請求項３に係る本発明を完成するに至ったものである。
【０００８】
請求項１に記載の発明は、基材と、当該基材表面に貼り付けられる絵模様を象った型材及び当該型材表面を装飾する装飾シートとを有する押絵用キットであって、前記型材の表層部には、前記装飾シートが固定される粘着層が形成されている押絵用キットである。
【０００９】
請求項２に記載の発明は、請求項１に記載の押絵用キットにおいて、前記装飾シートにより前記型材表面が装飾された複数の部品同士は、前記基材表面上に立体的な絵模様を構成するために立体的に貼り合わされるようになっていることを特徴とするものである。
【００１０】
請求項３に記載の発明は、請求項１又は２に記載の押絵用キットにおいて、面積が１ｃｍ2以下の前記型材を含むことを特徴とするものである。
【発明の効果】
【００１１】
上述の請求項１に記載の発明によれば、粘着層上に装飾シートを載せて、位置を固定して貼り付けることにより部品を製作するため、装飾シートが引っ張られて移動する等の問題がない作業性を向上させた押絵用キットを提供することができる。
このように作業性を向上させたため、糊しろのスペースを縮小とすることができ、基材平面上に貼り付けた装飾シートにより型材表面が装飾された部品が浮いたり、座りが悪かったりすることを防止することができる。
【００１２】
また、糊しろのスペースを縮小とすることにより、貼り合わされた型材表面が装飾された部品同士が浮いたり、座りが悪かったりすることを防止することができるため、請求項２に記載の発明、すなわち部品同士が立体的に貼り合わされるようになっている押絵用キットに好適である。
【００１３】
また、請求項３に記載の発明のように、特に面積が１ｃｍ2以下といった小さな型材表面を装飾シートにより装飾することは、特に作業性が悪く、このような部品を含む人間等を、趣味の一環として一般の人が製作することは困難であった。ところが、上述のように型材の表層部に粘着層を設けて、作業性を向上させることによって、一般の人でも、熟練を要することなく、上述の部品を製作することができる。
さらに、上述のように型材の表層部に粘着層を設けて、部品の糊しろのスペースを縮小して、作業性を向上させることにより、小さな部品であっても浮いたり、座りが悪かったりすることなく、所望の位置に貼り付けて、所望の絵模様の押絵を完成させることができる。
【発明を実施するための最良の形態】
【００１４】
次に、本発明に係る押絵用キットの一実施形態を説明する。
【００１５】
本実施形態における押絵用キットは、図１に示すように、絵模様の背景となる基材１と、この基材上に貼り付けられる絵模様を象った型材２及びこの型材２表面を装飾する装飾シート３とからなる。
【００１６】
この基材１としては、主に色紙等の厚紙を用いることができるが、これに限定されるものではなく、日用品等、装飾シート３により型材２表面が装飾された部品を貼り付けることができるものであれば用いることができる。
【００１７】
上述の絵模様を象った型材２は、図２に示すように、人間の部品（４ａ、４ｂ、４ｃ）が象られており、裏面から表面に向けて、厚紙２１、緩衝材としてのウレタン２２、粘着層２３、剥離紙２４が順番に積層されている。このウレタン２２は、装飾シート３により型材２表面が装飾された部品に、立体感を表出させるために所定の厚さ寸法を有している。
【００１８】
この粘着層２３は、アクリル系樹脂接着剤等の粘着性を有するものが用いられており、剥離紙２４を除去することにより、装飾シート３が貼り付けられる。また、粘着層２３は、これに限られず、例えば水を付けることにより、粘着性を発揮するものであっても良い。この場合には、型材２表面に剥離紙２４を設けなくても良い。
【００１９】
ここで、型材２の表層部とは、型材２表面に装飾シート３を載置することにより、装飾シート３が貼り付けられる位置であればよく、型材２の最表面の他、本実施形態における剥離紙２４の下に設けられた粘着層２３の位置も含まれる。
【００２０】
この型材２表面を装飾する装飾シート３としては、各々人間の部品（４ａ、４ｂ、４ｃ）を覆うことができる大きさと厚みをもった装飾布を用いる。なお、装飾シート３は、これに限られず、例えば紙等であっても型材２表面を装飾できるものであればよい。
さらに、この押絵用キットには、上述の基材１、型材２及び装飾シート３の他に、部品を所望の形状に作るための下絵が描かれたガイド紙６が付属している。
【００２１】
上述の押絵用キットの組み立て方法について、図３ないし図７を参照して以下に説明する。
まず、図３に示すように、人間の部品（４ａ、４ｂ、４ｃ）が象られている型材２から、象られている切取線２ａに従って各部品（４ａ、４ｂ、４ｃ）を外していく。
【００２２】
次いで、図４に示すように、部品（４ａ、４ｂ、４ｃ）ごとに、剥離紙２４を剥がし、図５に示すように、露出した粘着層２３を覆うようにして、外周部に糊しろ３１を残して装飾布３を貼り付ける。その後、糊しろ３１に、切り込み３２を入れて、型材２の縁に沿うように押し当てながら、裏面に折り曲げ、次いで、糊しろ３１に接着剤を付けることにより、型材２の裏面に貼り付ける。
【００２３】
この際、装飾布３は、緩衝材２２の上に載せられても、引っ張られることにより移動するが、粘着層２３の上に載せられることにより、貼り付けられて位置が固定されるため、引っ張られて移動する等の問題はなく、型材２の面積が１ｃｍ2以下であっても、熟練を要することなく、正確に貼り付けられる。これによって、糊しろ３１のスペースが縮小され、折り曲げられた装飾布３が盛り上がることを防止し、また、基材１と部品４ａとの接着面積が相対的に大きく確保される。
このため、基材１平面上に貼り付けられた部品４ａが浮いたり、座りが悪かったりすることはない装飾シート３により装飾された部品４ａが完成する。同様にして部品４ｂ等を製作する。
【００２４】
次に、図６に示すように、付属しているガイド紙６に従い、基材１上に設ける部品４ａと、その上に立体的に配置する部品４ｂ等との位置を確認して、両者を貼り合わせる。さらに上述の部品４ａの製作工程と同様にして作られた人間の土台、着物の一部及び首等の部品上に、この部品４ａ及び４ｂを貼り付けて部品５ａを完成させる。同様にして、他の部品も完成させる。
【００２５】
この際、糊しろ３１のスペースが縮小されたため、折り曲げられた装飾布３が盛り上がることを防止することにより、また、部品４ａと部品４ｂとの接着面積が相対的に大きく確保できることにより、部品（４ａ）と部品（４ｂ）との貼り合わせ面が浮いたり、座りが悪かったりする等の問題がなく、所望の絵模様の部品５ａとなる。
【００２６】
次いで、図７に示すように、付属しているガイド紙６に従い、基材１平面上の所望の位置に、完成した部品５ａ、５ｂ、５ｃ等を、その裏面に接着剤を付けて、貼り付ける。
ここで、部品４ｂ等の部品４ａに貼り合わされる部品又は部品４ａのみからなる部品５ｂ、５ｃ等の面積が１ｃｍ2以下である場合には、特に作業性が悪いが、糊しろ３１のスペースを縮小して、作業性を向上させることにより所望の位置に貼り付けて、所望の絵模様の押絵を完成させる。
【図面の簡単な説明】
【００２７】
【図１】本発明の一実施形態として示した押絵の完成品の正面模式図である。
【図２】本発明の一実施形態として示した型材２の斜視図である。
【図３】本発明の押絵用キットを用いて押絵を製作する方法の概略説明図であり、型材２から各部品を外す際の斜視図である。
【図４】本発明の押絵用キットを用いて押絵を製作する方法の概略説明図であり、剥離層２４を剥がす際の斜視図である。
【図５】本発明の押絵用キットを用いて押絵を製作する方法の概略説明図であり、装飾シート３を型材２に貼り付ける際の斜視図である。
【図６】本発明の押絵用キットを用いて押絵を製作する方法の概略説明図であり、部品４ａと部品４ｂとを貼り合わせる際の斜視図である。
【図７】本発明の押絵用キットを用いて押絵を製作する方法の概略説明図であり、基材１上に完成した部品を貼り付ける際の斜視図である。
【符号の説明】
【００２８】
１・・・基材
２・・・型材
２ａ・・・切取線
３・・・装飾シート（装飾布）
４ａ、４ｂ、４ｃ・・・部品
２１・・・厚紙
２２・・・緩衝材（ウレタン）
２３・・・粘着層
２４・・・剥離紙
【図１】
2006181814.tif 000003
【図２】
2006181814.tif 000004
【図３】
2006181814.tif 000005
【図４】
2006181814.tif 000006
【図５】
2006181814.tif 000007
【図６】
2006181814.tif 000008
【図７】
2006181814.tif 000009